(57)【特許請求の範囲】
【請求項１】
静脈が還流しやすいように重力に抗して血液を押し上げるための着圧を有するとともに人体生理学上の静水圧バランスに従って足首から大腿部に向って立位における足首：下腿：大腿がおおよそ１０：８：５の割合で弱くなる着圧バランスを有し、
かつ、椅座位において、屈曲を伴う部位への着圧が当該部位の血行障害圧力を超えないように設定されており、前記椅座位における屈曲を伴う部位への着圧が、いずれの部位においても２５gf/cm2以下であると共に椅座位におけるソケイ部の着圧が２５gf/cm2以下、同ヒップ部とヒザ部の着圧が１７gf/cm2以下であることを特徴とするパンティストッキング。
【請求項２】
前記立位における大腿の着圧が９〜１７gf/cm2、下腿の着圧が１４〜２８gf/cm2、足首の着圧が１７〜３５gf/cm2の範囲内であることを特徴とする請求項１記載のパンティストッキング。
【請求項３】
下腿の着圧が前記静水圧バランスに従った着圧バランスよりやや強めに設定されていることを特徴とする請求項１又は２に記載のパンティストッキング。
【発明の詳細な説明】
【０００１】
【発明の属する技術分野】
本発明は、静脈の還流を阻害しないパンティストッキング（ストッキング、タイツを含む）に関するものである。
【０００２】
【従来の技術】
着用時の快適性を追求するために、パンティストッキングの各部位の着圧を異ならせることは従来より様々なものが提案されており、例えば、特許２８２２０９０号公報（先行文献１）には、土踏まず部から足首部、ふくらはぎ部、大腿部に至るに従って順次その着用圧を低くなるようにして快適な着用感を与えるパンティストッキングが記載されている。
さらに、ストッキングによる静脈の制御を目的としたものも提案されており、例えば特公平７−９８０５３号公報（先行文献２）や、特開平８−１９９４０４号公報（先行文献３）が存在する。
【０００３】
先行文献２には、くるぶし、ふくらはぎ部（下腿の最大径部分）、大腿の順で圧縮力を弱くして静脈を制御する静脈疾患治療用ストッキングが記載されている。先行文献３には、ふくらはぎ部の着圧を他の部分と比較して最も強くしたパンティストッキングが記載されている。
【０００４】
【発明が解決しようとする課題】
しかし、前記先行文献では、椅座時（椅子に座った時）などの姿勢変化時における圧迫の増大、特に椅座位におけるソケイ部、ヒザ、ヒップなどの過度の圧迫、に対して考慮するものではなかった。
したがって、立位では静脈還流が促進されるように設計されていても、姿勢変化時に発現する圧迫によって、椅座位などではむしろ血行を阻害してしまうこともあった。
【０００５】
このように、従来のものでは、静脈の制御を目的としているにもかかわらず、静脈還流を阻害してしまう場合があった。
本発明は、このような問題に鑑みてなされたものであって、立位、椅座位にかかわらず静脈還流の促進効果を維持することを課題とする。
【０００６】
【課題を解決するための手段】
本発明は、上記課題を解決するために、次の着想を得て、本発明に至った。
すなわち、本発明の着想は、静脈還流効果を有するパンティストッキングの「椅座位における着圧」に着目したものであって、椅座位における着圧を適切なものにすれば静脈還流の促進効果を維持できるであろう、ということである。
血液の循環系においては、人体生理学的に重力に抗する静水圧に準じた押し上げ力が必要である。このため、パンティストッキングによって静脈還流を促進するには、重力に抗して血液が還流しやすいようにある程度の締付け力を有し、その締付け力が心臓に近くなるほど弱くなるグラデーション状の着圧バランスに設計することが求められる（循環器系の考えに準じた静水圧理論の実現）。
【０００７】
本発明では、これに加えて、椅座位（姿勢変化時）における着圧を血行障害が生じない値に設定している。
すなわち、本発明に係るパンティストッキングは、静脈が還流しやすいように重力に抗して血液を押し上げるための着圧を有するとともに、人体生理学上の静水圧バランスに従って足首から大腿に向かって弱くなる着圧バランスを有するパンティストッキングであって、屈曲を伴う部位への椅座位における着圧が当該部位の血行障害圧力を超えないように設定されている。
【０００８】
この構成を採用することにより、静脈還流効果が発揮される。そして、屈曲を伴う部位への椅座位における着圧が当該部位の血行障害圧力を超えないように設定されているので、姿勢変化時において、静脈還流が阻害されず静脈還流効果を維持することができる。
屈曲を伴う部位としては、例えば、ソケイ部、ヒップ、ヒザがあり、これらの部位は姿勢変化により圧迫が増大する。
静脈還流を阻害しないためには、具体的には、屈曲を伴う部位、例えばソケイ部、ヒップ、ヒザ、への着圧がいずれも２５gf/cm2以下とするのが好適である。さらには後述の実施例に基づけば２１gf/cm2以下とするのが好適である。より具体的には、椅座位におけるソケイ部の着圧を２５gf/cm2以下（さらには２１gf/cm2以下）とし、椅座位におけるヒップの着圧を１７gf/cm2以下とし、椅座位におけるヒザの着圧を１７gf/cm2以下とするのが好適である。
【０００９】
また、静脈還流効果を発揮するための好ましい着圧の範囲としては、立位における大腿の着圧が９〜１７gf/cm2、下腿の着圧が１４〜２８gf/cm2、足首の着圧が１７〜３５gf/cm2の範囲内とし、足首から大腿に向かって弱くなるように設定することができる。
さらに、ふくらはぎ、すなわち下腿の最大径部（ふくらはぎ部分）の筋肉が静脈還流効果に有効に作用することを考慮してふくらはぎ部分の着圧が前記静水圧バランスに従った着圧バランスよりやや強めに設定されているのが好適である。この場合、静脈還流効果を一層高めることができる。
【００１０】
なお、本発明においては、パンティストッキングとは、ストッキング、タイツを含む意である。
【００１１】
【発明の実施の形態】
以下、本発明の実施形態を図面に基づいて説明する。
図１は、実施形態に係るパンティストッキング１の締付け力（着圧）の具合を、静水圧に準じた締付けパワーとの比較で示している。
静脈還流（血液の戻り）を促進するには、重力に負けない圧力（締付け力）により血液を押し上げる必要がある。その締付け具合は、心臓から遠い足首７側ほど強くし、心臓に近くなるほど弱くなるグラデーション状のバランスに設計する必要がある。
【００１２】
図１の直線Ｌ１は、静水圧に準じた締付けのバランスを示しており、立位において足首７の締付け力を１０とした場合に、下腿（ふくらはぎ部）６の締付け力が８、大腿４の締付け力が５に設定されている。なお、「１０，８，５」といった数値はおおよその値であり、多少の幅をもつ。
【００１３】
【表１】
0003812628.tif 000002
【００１４】
具体的な着圧としては、大腿の着圧を９〜１７gf/cm2、下腿（ふくらはぎ部）の着圧を１４〜２８gf/cm2、足首の着圧を１７〜３５gf/cm2の範囲内において、上記バランスに沿って各部位の着圧を設定することができる。このような着圧の範囲を快適ゾーンという。
なお、これらの数値を［Ｐａ］に換算すると、大腿の着圧は８８３〜１６６７Pa、下腿（ふくらはぎ部）の着圧は１３７３〜２７４６Pa、足首の着圧は１６６７〜３４３２Paとなる（下記表２参照）。なお、この換算は、１kgf/m2＝9.80665Paとして行った（以下、同様）。
【００１５】
【表２】
0003812628.tif 000003
【００１６】
これらの数値を四捨五入すると、大腿の着圧は９００〜１７００Pa、下腿（ふくらはぎ部）の着圧は１４００〜２８００Pa、足首の着圧は１７００〜３４００Paとなる。このような着圧の範囲が［Pa］での快適ゾーンといえる。
図１において直線Ｌ２は、実施形態に係るパンティストッキング１の締付けバランスを示しており、締付けバランスは、静水圧バランスに沿っているものの、完全には一致していない。
まず、下腿の最大径部であるふくらはぎ部の締付け力は、静水圧バランスＬ１に対してやや大きく設定されている。ふくらはぎ部は、静脈還流に対する筋ポンプ作用が特に有効に働くため、ふくらはぎ部の筋肉が血液を押し上げる働きをサポートするように、やや下方から当該部への締付け力をやや高めに設定するのが好ましい。なお、ふくらはぎ部の着圧を大きくすると、静脈還流促進効果に加えて、足首が細く見える効果も生ずる。
【００１７】
さらに、椅子等への着座（椅座位）により圧迫が増大する部位（ヒップ３、ソケイ部２、ヒザ５）は、血行障害が生じない着圧に設定されている。
具体的には、椅座位における各部位の着圧を血行障害が生じない圧力である２５gf/cm2以下とするのが好ましい（さらに好ましくは２１gf/cm2）。さらに、椅座位におけるヒップの着圧は大腿よりソフトにするという観点から１７gf/cm2以下とし、椅座位におけるヒザの着圧は大腿と同じレベルにするという観点（位置が平行にある）から１７gf/cm2以下とするのが好適である（表１参照）。
【００１８】
なお、これらの数値を［Pa］に換算すると、ソケイ部の着圧が２４５２Pa以下（２１gf/cm2の場合２０５９Pa）、ヒップの着圧が１６６７Pa以下、ヒザの着圧が１６６７Pa以下となる（表２参照）。
さらにこれらの数値を四捨五入すると、ソケイ部の着圧は２５００Pa以下（２１００Pa以下）、ヒップ及びヒザの着圧は１７００Pa以下となる。
これらの部位では、椅座位において着圧が増大して過度の圧迫が生ずる場合があり、ソケイ部、ヒップ、ヒザの着圧を前記の値より小さくすることで、静脈還流の阻害が軽減される。
【００１９】
椅座位におけるソケイ部、ヒップ、ヒザの着圧を低くしたことから、図１のＬ２に示すように、立位においてもソケイ部、ヒップ、ヒザの着圧は、静水圧バランスＬ１に対してやや小さくなっている。
このように本実施形態に係るパンティストッキングの着圧は、静水圧バランスを基準としたある程度の締付け力を有しつつ、ソケイ部、ヒップ、ヒザでは締付け力がやや弱く設定され、ふくらはぎ部では締付け力がやや強めに設定されている。
【００２０】
なお、静脈還流を阻害しないためには、特にソケイ部の着圧が重要である。図２に示すように、ソケイ部の圧迫は血液の戻りを阻害し、下肢全体に血がたまってしまうからである。
【００２１】
【実施例】
４０ｄ（デニール）クラスのポリウレタンを芯糸としたＳＣＹ（シングルカバリングヤーン）で編成したパンティストッキングであって、先の表１及び表２に示すように、立位での大腿の着圧が１０．５gf/cm2（１０３０Pa）、立位での下腿の着圧が１４．５gf/cm2（１４２２Pa）、立位での足首の着圧が２０．０gf/cm2（１９６１Pa）であり、椅座位でのヒップの着圧が１６．５gf/cm2(１６１８Pa)、椅座位でのソケイ部の着圧が２０．０gf/cm2(１９６１Pa)、椅座位でのヒザの着圧が１１．６gf/cm2（１１３８Pa）であるものを得た。
【００２２】
このような着圧の変化は、編成時において各部位毎の給糸量に変化を持たり、給糸張力、フィード量を変化させ、度目を変化させること等、公知の様々な手法により達成することができる。
この実施例について、静脈還流量の評価（１回心拍出量測定）、１日着用時のむくみの抑制効果（膝下の体積変化の測定）、１日着用による疲労度の評価（作業効率測定）を行い、比較例１（４０ｄクラスのポリウレタンを芯糸としたＳＣＹで編成したパンティストッキング）及び比較例２（２０ｄクラスのポリウレタンを芯糸としたＳＣＹで編成したパンティストッキング）との比較を行った。
【００２３】
その結果、実施例ではいずれの評価でも良好な結果が得られたが、比較例１では、立位は快適ゾーンに収まっているが、椅座位時にヒップ、ソケイ部、ヒザの着圧がしきい値を超えてしまい、血行障害、自律神経への影響がみられる。また、比較例２では、全体的にソフトで静脈環流に寄与するだけのパワーが足りない。
以下、これらの評価について詳細に説明する。
（静脈還流量の評価について）
「スターリングの心臓の理論」によると、１回の拍出量は静脈還流量に依存することから、１回の拍出量をもって静脈還流の指標とした。
【００２４】
図３は、着用前の１回心拍出量を１００として、着用後椅座位において安静にしたときの心拍出量の変化率を示している。実施例の場合、着用後心拍出量が増加しており、静脈還流が促進されていることがわかる。一方、比較例１の場合、椅座位におけるヒップ、ソケイ部、ヒザの着圧が高く、着座により圧迫が増大しているため静脈還流が阻害され、心拍出量が減少している。
（１日着用時のむくみの抑制効果について）
図４は、素足、実施例、比較例２についてそれぞれ朝の膝下の体積に対する夕方の膝下の体積の変化を測定した結果を示している。
【００２５】
実施例の場合、素足に比較して膝下体積の変化率が低く、むくみ難いことがわかる。一方、比較例２の場合、素足に比較して膝下体積の変化率が大きく、むくみ易いことがわかる。比較例２の場合、締付け力が不足しており、静脈還流の助けになっておらず、むくみが生じている。すなわち、比較例２では大腿、下腿、足首の着圧が不足しており、椅座位におけるソケイ部等の着圧は高くないものの、立位における着圧も低く、静脈還流効果が発揮されていない。
（１日着用による疲労度の評価について）
過度の圧迫は自律神経系にも影響し人の反応速度を遅らせることもある。図５は、色認識における反応速度への影響を測定した結果である。実施例では、反応が速くなっており、圧迫による自律神経系への影響がほとんどみられない。
【００２６】
一方、比較例１の場合には、着座により過度の圧迫を受ける部位があるので、自律神経系に悪影響を与え人の反応を遅らせている。
【００２７】
【発明の効果】
以上、本発明によれば、静水圧を基本にしつつ、立位だけでなく椅座位における着圧まで考慮し、屈曲を伴う部位への着圧が当該部位の血行障害圧力を超えないように設定したので、立位・椅座位にかかわらず静脈還流効果を維持できる。
【図面の簡単な説明】
【図１】  静水圧に準じた締付けパワーと実施形態に係るパンティストッキングの締付け具合の関係を示す図である。
【図２】  椅座位におけるソケイ部への圧迫により血がたまることを示す概念図である。
【図３】  １回心拍出量の変化を示すグラフである。
【図４】  膝下の体積変化率を示すグラフである。
【図５】  労働作業性の評価グラフである。
【符号の説明】
１  パンティストッキング
２  ソケイ部
３  ヒップ
４  大腿
５  ヒザ
６  下腿
７  足首
【図１】
0003812628.tif 000004
【図２】
0003812628.tif 000005
【図３】
0003812628.tif 000006
【図４】
0003812628.tif 000007
【図５】
0003812628.tif 000008